(57)【特許請求の範囲】
【請求項１】
足の爪先を覆う爪先部と、
前記足の踵を覆う踵部と、
前記爪先部と前記踵部との間に形成され、前記足の足底を覆う足底部と、を備え、
前記足底部は、前記足の母趾球部から前記足の第５趾球部にかけて、裏糸と３本以上の表糸とで編成される足底強化部を有し、
前記３本以上の表糸は、ポリエステルから構成される、または、ポリエステル及び綿から構成される糸を有し、
前記爪先部及び前記踵部は、前記裏糸と前記３本以上の表糸とで編成され、
前記爪先部と前記足底強化部との間に配置される部分は、前記足底強化部、前記爪先部及び前記踵部に比べて柔らかい編地から構成されることを特徴とするレッグウェア。
【請求項２】
足の爪先を覆う爪先部と、
前記足の踵を覆う踵部と、
前記爪先部と前記踵部との間に形成され、前記足の足底を覆う足底部と、を備え、
前記足底部は、前記足の母趾球部から前記足の第５趾球部にかけて、裏糸と３本以上
の表糸とで編成される足底強化部を有し、
前記爪先部及び前記踵部は、前記裏糸と前記３本以上の表糸とで編成され、
前記爪先部と前記足底強化部との間に配置される部分は、前記足底強化部、前記爪先部及び前記踵部に比べて柔らかい編地から構成されることを特徴とするレッグウェア。
【請求項３】
前記足底強化部には、半回転編み領域が形成されることを特徴とする請求項１または２に記載のレッグウェア。
【請求項４】
前記３本以上の表糸は双糸及び補強糸を含むことを特徴とする請求項１から３のいずれか１項に記載のレッグウェア。
【請求項５】
前記双糸は、ポリエステルと綿との混紡糸を含むことを特徴とする請求項４に記載のレッグウェア。
【請求項６】
前記双糸は、ポリエステルと綿との混紡糸と、ポリエステルから構成される糸と、を撚り合わせた糸であることを特徴とする請求項５に記載のレッグウェア。
【請求項７】
前記補強糸は、１００％のポリエステルから構成されることを特徴とする請求項４から６のいずれか１項に記載のレッグウェア。
【請求項８】
前記レッグウェアのうち前記足底強化部、前記爪先部及び前記踵部以外の部分は、前記足底強化部の表糸の本数よりも少ない本数の表糸を含んで編成されることを特徴とする請求項１から７のいずれか１項に記載のレッグウェア。
【請求項９】
前記３本以上の表糸は、ポリエステルから構成されると共に、
前記足底強化部は、前記３本以上の表糸の引き揃えにより編成されることを特徴とする請求項１から３のいずれか１項に記載のレッグウェア。
【請求項１０】
前記３本以上の表糸は、ポリエステル及び綿から構成される糸を有する三子糸を含むことを特徴とする請求項１から３のいずれか１項に記載のレッグウェア。
【発明の詳細な説明】
【技術分野】
【０００１】
本発明はレッグウェアに関する。
【背景技術】
【０００２】
特許文献１には、全体が総パイル組織で編成されていると共に、爪先部と、踵部と、母趾球部から第５趾球部までの足底前部とは、部分的に厚地のパイル組織とされている靴下が開示されている。特許文献１に開示の靴下において、部分的に厚地のパイル組織は、靴下の内面側で厚みを増やすように編成されている。また、部分的に厚地のパイル組織は、給糸本数を部分的に増やして編成されている。
【先行技術文献】
【特許文献】
【０００３】
【特許文献１】特開２００９−２２１６１４号公報
【発明の概要】
【発明が解決しようとする課題】
【０００４】
特許文献１に開示の靴下では、部分的に厚地のパイル組織が靴下に開示されているが、厚地のパイル組織の強度は不十分であり、靴下が破れてしまう虞があるという問題がある。本発明の一態様は、足底強化部を強固なものにすると共に、ユーザによるレッグウェアの良好な履き心地を維持することを目的とする。
【課題を解決するための手段】
【０００５】
上記の課題を解決するために、本発明の一態様に係るレッグウェアは、足の爪先を覆う爪先部と、前記足の踵を覆う踵部と、前記爪先部と前記踵部との間に形成され、前記足の足底を覆う足底部と、を備え、前記足底部は、前記足の母趾球部から前記足の第５趾球部にかけて、裏糸と３本以上の表糸とで編成される足底強化部を有する。
【０００６】
ユーザがレッグウェアを履いている状態でレッグウェアの上から靴を履く場合、表糸が靴の内側と接触するため、レッグウェアのうち破れやすい箇所である足底強化部を３本以上の表糸で編成することが好ましい。これにより、足底強化部を強固なものにできると共に、レッグウェア全体の伸縮性を十分に維持することができるため、ユーザによるレッグウェアの良好な履き心地を維持することができる。
【０００７】
前記足底強化部には、半回転編み領域が形成されてもよい。足底強化部の少なくとも一部を容易に強固なものにすることができる。
【０００８】
前記爪先部及び前記踵部は、前記裏糸と前記３本以上の表糸とで編成されてもよい。レッグウェアの爪先部及び踵部は、レッグウェアの中でも破れやすい箇所である。このため、爪先部及び踵部を３本以上の表糸で編成することが好ましい。これにより、足底強化部だけではなく爪先部及び踵部も強固なものにできると共に、レッグウェア全体の伸縮性を十分に維持することができるため、ユーザによるレッグウェアの良好な履き心地を維持することができる。
【０００９】
前記レッグウェアのうち前記足底強化部、前記爪先部及び前記踵部以外の部分は、前記足底強化部の表糸の本数よりも少ない本数の表糸を含んで編成されてもよい。足底強化部、爪先部及び踵部以外の部分については、足底強化部に比べて柔らかい編地にすることができる。このため、レッグウェア全体の伸縮性を十分に維持することができるため、ユー
ザによるレッグウェアの良好な履き心地を維持することができる。
【００１０】
前記３本以上の表糸は、ポリエステルから構成されると共に、前記足底強化部は、前記３本以上の表糸の引き揃えにより編成されてもよい。３本以上の表糸を引き揃えにより編成することにより、レッグウェアのうち３本以上の表糸によって編成される足底強化部を効果的に強固なものにできる。
【００１１】
前記３本以上の表糸は、ポリエステル及び綿から構成される糸を有する三子糸を含んでもよい。３本以上の表糸をこのような三子糸を含むものから構成することにより、レッグウェアのうち３本以上の表糸によって編成される部分を効果的に強固なものにできる。
【００１２】
前記３本以上の表糸は双糸及び補強糸を含んでもよい。３本以上の表糸を双糸及び補強糸を含むものから構成すると、双糸と補強糸との組み合わせにより、レッグウェアのうち３本以上の表糸によって編成される部分を効果的に強固なものにできる。
【発明の効果】
【００１３】
本発明の一態様によれば、足底強化部を強固なものにすると共に、ユーザによるレッグウェアの良好な履き心地を維持することができる。
【図面の簡単な説明】
【００１４】
【図１】本発明の実施形態１に係るレッグウェアの構成を示す模式図である。
【図２】図１に示すレッグウェアの底面図である。
【図３】図１に示すレッグウェアの編み組織を示す図である。
【図４】図３に示すレッグウェアの編み組織に含まれ得る表糸の構成を示す図である。
【発明を実施するための形態】
【００１５】
〔実施形態１〕
＜レッグウェア１の構成＞
図１は、本発明の実施形態１に係るレッグウェア１の構成を示す模式図である。図２は、図１に示すレッグウェア１の底面図である。図１及び図２に示すように、レッグウェア１は、爪先部１０と、踵部２０と、足底部３０と、足甲部４０と、レッグ部５０と、を備える。レッグウェア１は、丸編み機により伸縮糸を用いて編成されている。
【００１６】
爪先部１０は、ユーザがレッグウェア１を履いている状態で足の爪先を覆う。踵部２０は、ユーザがレッグウェア１を履いている状態で足の踵を覆う。足底部３０は、爪先部１０と踵部２０との間に形成され、ユーザがレッグウェア１を履いている状態で足の足底を覆う。
【００１７】
＜裏糸２及び表糸３の構成＞
図３は、図１に示すレッグウェア１の編み組織を示す図である。図３に示すように、レッグウェア１の少なくとも一部は、肌側つまり内側に露出する裏糸２と、外側に露出する表糸３と、で編成される。ユーザがレッグウェア１を履いている状態でレッグウェア１の上から靴を履く場合、裏糸２は足の肌に接触し、表糸３は靴の内側と接触する。なお、図３において、便宜上、裏糸２及び表糸３を分かり易く説明するために、１本の裏糸２及び１本の表糸３を示しているが、裏糸２及び表糸３は複数であってもよい。
【００１８】
裏糸２の素材は特に限定されるものではないが、例えば、ナイロンまたはナイロン・ポリウレタン等である。また、表糸３の素材は特に限定されるものではないが、例えば、綿、麻、ウール、シルク、アンゴラ、アクリル、ナイロン、ポリエステル、カシミヤ、キュ
プラ、ポリエチレン、カーボンまたはこれらを組み合わせた素材等である。
【００１９】
＜足底強化部３１の構成＞
図２に示すように、足底部３０は、ユーザがレッグウェア１を履いている状態で足の母趾球部から足の第５趾球部を覆う足底強化部３１を有する。足底強化部３１は、裏糸２と３本以上の表糸３とで編成される。足底強化部３１の表糸３の本数は３本以上であるが、４本以下であることが好ましい。足底強化部３１の表糸３の本数が４本以下である場合、足底強化部３１の伸縮性を十分に維持することができ、ユーザによるレッグウェア１の良好な履き心地を維持することができる。
【００２０】
また、レッグウェア１のうち、足の母趾球部から足の第５趾球部を覆う部分は、ユーザが歩行する際に編地が伸びることによって薄くなると共に、その部分は体重がかかる部分であり、摩耗するため破れやすい。このため、足の母趾球部から足の第５趾球部を覆う足底強化部３１を強固なものにすることが好ましい。例えば、ユーザがレッグウェア１を履いている状態でレッグウェア１の上から靴を履く場合、表糸３が靴の内側と接触する。よってレッグウェア１のうち破れやすい箇所に位置する足底強化部３１を３本以上の表糸３で編成することにより摩耗に強い強固なものにすることができる。
【００２１】
これにより、レッグウェア１を強固なものにできると共に、全体の伸縮性を十分に維持することができるため、ユーザによるレッグウェア１の良好な履き心地を維持することができる。
【００２２】
また、足底強化部３１の少なくとも一部には、半回転編み領域３２が形成されてもよい。半回転編み領域３２は、丸編み機により半回転編みで立体的に編成された領域である。当該半回転編みは、丸編み機の正逆半回転動による編み方である。足底強化部３１に半回転編み領域３２が形成されることにより、足底強化部３１の少なくとも一部を容易に強固なものにすることができる。
【００２３】
足底強化部３１の３本以上の表糸３はポリエステルから構成されると共に、足底強化部３１は、３本以上の表糸３の引き揃えにより編成されてもよい。図４は、図３に示すレッグウェア１の編み組織に含まれ得る表糸３の構成を示す図である。図４の符号１０１に示すように、足底強化部３１が３本の表糸３として、表糸３Ａ１，３Ａ２，３Ａ３の引き揃えにより編成されてもよい。引き揃えとは、複数の糸を一緒に揃えることにより１本の糸のように扱うことであり、表糸３により形成された輪に複数の糸を入れることにより編成することである。引き揃えは、プレーティング編または添え糸編とも称される。
【００２４】
表糸３Ａ１〜３Ａ３はそれぞれ、１００％のポリエステルから構成される。３本以上の表糸３を引き揃えにより編成することにより、レッグウェア１のうち３本以上の表糸３によって編成される足底強化部３１を効果的に強固なものにできる。
【００２５】
あるいは、足底強化部３１の３本以上の表糸３には、図４の符号１０４に示す、１００％のポリエステルから構成される補強糸３Ｄを含んでもよい。補強糸３Ｄは他の表糸３と引き揃えられてもよく、撚られてもよい。
【００２６】
＜爪先部１０及び踵部２０の構成＞
爪先部１０及び踵部２０は、足底強化部３１と同様に、裏糸２と３本以上の表糸３とで編成されてもよい。具体的には、爪先部１０及び踵部２０の３本以上の表糸３は、ポリエステルから構成されると共に、爪先部１０及び踵部２０は、３本以上の表糸３の引き揃えにより編成されてもよい。あるいは爪先部１０及び踵部２０は、表糸３に、１００％のポリエステルから構成される補強糸を含んで編成されてもよい。爪先部１０及び踵部２０の
表糸３の本数は、足底強化部３１の表糸３の本数と同一であってもよい。つまり、本実施形態において説明した足底強化部３１の構成は、爪先部１０及び踵部２０にも適用される。
【００２７】
爪先部１０及び踵部２０の表糸３の本数は３本以上であるが、４本以下であることが好ましい。爪先部１０及び踵部２０の表糸３の本数が４本以下である場合、爪先部１０及び踵部２０の伸縮性を十分に維持することができ、ユーザによるレッグウェア１の良好な履き心地を維持することができる。
【００２８】
また、レッグウェア１のうち爪先部１０及び踵部２０は、ユーザが歩行する際に体重がかかる部分であり、摩耗するため破れやすい。このため、爪先部１０及び踵部２０を強固なものにすることが好ましい。爪先部１０及び踵部２０を３本以上の表糸３で編成することにより爪先部１０及び踵部２０を摩耗に強い強固なものにすることができる。
【００２９】
このように、レッグウェア１の爪先部１０及び踵部２０は、レッグウェア１の中でも破れやすい箇所である。このため、爪先部１０及び踵部２０を３本以上の表糸３で編成することが好ましい。これにより、足底強化部３１だけではなく爪先部１０及び踵部２０も強固なものにできると共に、レッグウェア１全体の伸縮性を十分に維持することができるため、ユーザによるレッグウェア１の良好な履き心地を維持することができる。
【００３０】
＜足底強化部３１、爪先部１０及び踵部２０以外の部分の構成＞
レッグウェア１のうち足底強化部３１、爪先部１０及び踵部２０以外の部分は、足底強化部３１の表糸３の本数よりも少ない本数の表糸３を含んで編成されることが好ましい。レッグウェア１のうち足底強化部３１、爪先部１０及び踵部２０以外の部分とは、足底部３０のうち足底強化部３１以外の部分、足甲部４０及びレッグ部５０である。
【００３１】
足底強化部３１、爪先部１０及び踵部２０以外の部分については、足底強化部３１に比べて柔らかい編地にすることができる。このため、レッグウェア１全体の伸縮性を十分に維持することができるため、ユーザによるレッグウェア１の良好な履き心地を維持することができる。
【００３２】
〔実施形態２〕
本実施形態では、足底強化部３１の３本以上の表糸３は、ポリエステル及び綿から構成される糸を有する三子糸を含んでもよい。例えば、図４の符号１０２に示すように、足底強化部３１が３本の表糸３として三子糸３Ｂから編成されてもよい。三子糸３Ｂは３本の表糸３Ｂ１，３Ｂ２，３Ｂ３が撚られることにより構成される。
【００３３】
表糸３Ｂ１〜３Ｂ３はそれぞれ、９０％のポリエステルと１０％の綿とから構成される混紡糸である。３本以上の表糸３をこのような三子糸３Ｂを含むものから構成することにより、レッグウェア１のうち３本以上の表糸３によって編成される部分を効果的に強固なものにできる。なお、足底強化部３１の３本以上の表糸３は、三子糸に加えて、符号１０４に示す補強糸３Ｄを含んでもよい。三子糸及び補強糸３Ｄは引き揃えられてもよく、撚られてもよい。
【００３４】
また、表糸３Ｂ１が９０％のポリエステルと１０％の綿とから構成される混紡糸であると共に、表糸３Ｂ２，３Ｂ３が１００％のポリエステルから構成されてもよい。さらに、爪先部１０及び踵部２０の３本以上の表糸３は、足底強化部３１の３本以上の表糸３と同様に、ポリエステル及び綿から構成される糸を有する三子糸を含んでもよく、補強糸をさらに含んでもよい。つまり、本実施形態において説明した足底強化部３１の構成は、爪先部１０及び踵部２０にも適用される。
【００３５】
〔実施形態３〕
本実施形態では、足底強化部３１の３本以上の表糸３は双糸及び補強糸を含んでもよい。例えば、足底強化部３１が３本の表糸３として、図４の符号１０３に示す双糸３Ｃと、符号１０４に示す補強糸３Ｄと、から編成されてもよい。双糸３Ｃは２本の表糸３Ｃ１，３Ｃ２が撚られることにより構成される。双糸３Ｃ及び補強糸３Ｄは引き揃えられてもよく、撚られてもよい。
【００３６】
表糸３Ｃ１，３Ｃ２はそれぞれ、９０％のポリエステルと１０％の綿とから構成される混紡糸である。３本以上の表糸３を双糸３Ｃ及び補強糸３Ｄを含むものから構成すると、双糸３Ｃと補強糸３Ｄとの組み合わせにより、レッグウェア１のうち３本以上の表糸３によって編成される部分を効果的に強固なものにできる。
【００３７】
なお、表糸３Ｃ１が９０％のポリエステルと１０％の綿とから構成される混紡糸であると共に、表糸３Ｃ２が１００％のポリエステルから構成されてもよい。また、爪先部１０及び踵部２０の３本以上の表糸３は、足底強化部３１の３本以上の表糸３と同様に、双糸及び補強糸を含んでもよい。つまり、本実施形態において説明した足底強化部３１の構成は、爪先部１０及び踵部２０にも適用される。
【００３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００３９】
〔実施例〕
以下、実施例によって本発明をさらに詳細に説明するが、本発明は、本実施例に限定されるものではない。レッグウェアの編地の耐摩耗性を試験した結果について説明する。この試験については「JIS-L-1096 F-2法」で行った。試験方法として、ユニホーム形の摩耗試験機を用いて、研磨紙によりレッグウェアの編地を摩耗し、研磨紙による摩耗でレッグウェアの編地に孔が開くことにより摩耗試験機が停止した時の摩耗回数を計測した。
【００４０】
本実施例において、レッグウェア１は、３本の表糸として、ポリエステル及び綿から構成される混紡糸である１本の表糸と、ポリエステルから構成される２本の表糸と、を含んで編成されているものとする。レッグウェア１の爪先部１０に対して摩耗回数を計測した結果、爪先部１０の摩耗回数は、１回目で４９０５回、２回目で６５０１回となり、平均５７０３回となった。また、レッグウェア１の踵部２０に対して摩耗回数を計測した結果、踵部２０の摩耗回数は、１回目で９８０１回、２回目で７１９２回となり、平均８４９６．５回となった。
【００４１】
〔比較例１〕
比較例１において、レッグウェアは、ポリエステル及び綿から構成される混紡糸である２本の表糸で編成されているものとする。レッグウェアの足底部に対して摩耗回数を計測した結果、足底部の摩耗回数は、１回目で１４０回、２回目で１０４回となり、平均１２２回となった。
【００４２】
〔比較例２〕
比較例２において、レッグウェアは、ポリエステル及び綿から構成される混紡糸である１本の表糸と、ナイロンから構成される１本の裏糸と、で編成されているものとする。レッグウェアの足底部に対して摩耗回数を計測した結果、足底部の摩耗回数は、１回目で１３１回、２回目で１７６回となり、平均１５３．５回となった。
【００４３】
以上により、実施例のレッグウェア１の摩耗回数は、比較例１及び２のレッグウェアの摩耗回数に比べて多くなることが分かった。よって、実施例のレッグウェア１のように、レッグウェア１が３本の表糸を含んで編成されることにより、レッグウェア１の耐摩耗性を顕著に向上することができるため、レッグウェア１が破れる可能性を十分に低減することができる。
【符号の説明】
【００４４】
１  レッグウェア
２  裏糸
３、３Ａ１〜３Ａ３、３Ｂ１〜３Ｂ３、３Ｃ１、３Ｃ２  表糸
３Ｂ  三子糸
３Ｃ  双糸
３Ｄ  補強糸
１０  爪先部
２０  踵部
３０  足底部
３１  足底強化部
３２  半回転編み領域
【要約】
【課題】足底強化部を強固なものにすると共に、ユーザによるレッグウェアの良好な履き心地を維持する。
【解決手段】レッグウェア（１）は、足の爪先を覆う爪先部（１０）と、足の踵を覆う踵部（２０）と、爪先部（１０）と踵部（２０）との間に形成され、足の足底を覆う足底部（３０）と、を備え、足底部（３０）は、足の母趾球部から足の第５趾球部にかけて、裏糸と３本以上の表糸とで編成される足底強化部（３１）を有する。
【選択図】図１【図１】
0006888853.tif 000002
【図２】
0006888853.tif 000003
【図３】
0006888853.tif 000004
【図４】
0006888853.tif 000005